(57)【要約】【課題】カーオーディオ等の情報出力装置及びナビゲーション装置を含む移動体用電子システムにおいて、移動体の移動状況に相応しい音声情報や映像情報を出力する。【解決手段】移動体用電子システムは、音声情報及び映像情報のうち少なくとも一方を含むコンテンツ情報を出力する出力手段を備えた情報出力装置と、移動体の移動状況に関連付けられる測定データを出力する測定手段を備えたナビゲーション装置とを含んでなる。この移動体用電子システムを制御する制御装置は、移動体の移動中における所定種類の特殊状況を測定データに基づいて検出する状況検出手段と、移動体の移動中に、状況検出手段により特殊状況が検出された場合に、特殊状況時に出力すべきものとして予め設定されているコンテンツ情報を優先的に出力するように出力手段を制御する出力制御手段とを備える。【選択図】図１
2010032533.tif 000002
【特許請求の範囲】
【請求項１】
(i)音声情報及び映像情報のうち少なくとも一方を含むコンテンツ情報を出力する出力手段を備えた情報出力装置と、(ii)移動体の移動状況に関連付けられる測定データを出力する測定手段を備えたナビゲーション装置とを含んでなる移動体用電子システムを制御する制御装置であって、
前記移動体の移動中における所定種類の特殊状況を前記測定データに基づいて検出する状況検出手段と、
前記移動体の移動中に、前記状況検出手段により前記特殊状況が検出された場合に、前記特殊状況時に出力すべきものとして予め設定されているコンテンツ情報を優先的に出力するように前記出力手段を制御する出力制御手段と
を備えたことを特徴とする移動体用電子システムの制御装置。
【請求項２】
前記入力手段は、前記特殊状況時に出力すべきコンテンツ情報を設定可能であることを特徴とする請求項１に記載の移動体用電子システムの制御装置。
【請求項３】
前記状況検出手段は、前記移動体の移動開始時からの連続的な移動時間が所定時間を超えたことで、前記特殊状況を検出することを特徴とする請求項１又は２に記載の移動体用電子システムの制御装置。
【請求項４】
前記状況検出手段は、前記移動体が既に移動した経路上における渋滞の度合いに基づいて前記特殊状況を検出することを特徴とする請求項１から３のいずれか一項に記載の移動体用電子システムの制御装置。
【請求項５】
前記状況検出手段は、前記移動体の移動軌跡が所定基準に対して異常であることで、前記特殊状況を検出することを特徴とする請求項１から４のいずれか一項に記載の移動体用電子システムの制御装置。
【請求項６】
前記状況検出手段は、蛇行運転を前記特殊状況として検出することを特徴とする請求項１、２及び５のいずれか一項に記載の移動体用電子システムの制御装置。
【請求項７】
前記状況検出手段は、急ハンドルを前記特殊状況として検出することを特徴とする請求項１、２及び５のいずれか一項に記載の移動体用電子システムの制御装置。
【請求項８】
前記出力制御手段は、前記特殊状況が検出された場合に、前記コンテンツ情報の音量ボリュームを上げるように前記出力手段を制御することを特徴とする請求項１から７のいずれか一項に記載の移動体用電子システムの制御装置。
【請求項９】
前記出力制御手段は、前記特殊状況が検出された場合に、前記コンテンツ情報の音量ボリュームを下げるように前記出力手段を制御することを特徴とする請求項１から７のいずれか一項に記載の移動体用電子システムの制御装置。
【請求項１０】
コンピュータを、請求項１から９のいずれか一項に記載の移動体用電子システムの制御装置として機能させることを特徴とするコンピュータプログラム。
【請求項１１】
請求項１から９のいずれか一項に記載の移動体用電子システムの制御装置と、
前記情報出力装置と、
前記ナビゲーション装置と
を含んでなることを特徴とする移動体用電子システム。
【請求項１２】
前記コンテンツ情報及び前記出力時間情報のうち少なくとも一方をダウンロード可能な通信手段を更に備えたことを特徴とする請求項１１に記載の移動体用電子システム。
【請求項１３】
(i)音声情報及び映像情報のうち少なくとも一方を含むコンテンツ情報を出力する出力手段を備えた情報出力装置と、(ii)移動体の移動状況に関連付けられる測定データを出力する測定手段を備えたナビゲーション装置とを含んでなる移動体用電子システムを制御する制御方法であって、
前記移動体の移動中における所定種類の特殊状況を前記測定データに基づいて検出する状況検出工程と、
前記移動体の移動中に、前記状況検出工程により前記特殊状況が検出された場合に、前記特殊状況時に出力すべきものとして予め設定されているコンテンツ情報を優先的に出力するように前記出力手段を制御する出力制御工程と
を備えたことを特徴とする移動体用電子システムの制御方法。
【発明の詳細な説明】
【技術分野】
【０００１】
本発明は、カーオーディオシステム等の車載用などの移動体用の情報出力装置及び車載用などの移動体用のナビゲーション装置を含んでなる移動体用電子システムの制御装置及び制御方法、移動体用電子システム並びにコンピュータプログラムの技術分野に属する。
【背景技術】
【０００２】
カーオーディオシステム或いはカーステレオ、カーテレビ等の車載用の情報出力装置では、ＣＤ（Compact Disc）、ＤＶＤ、ＭＤ（Mini Disc）、カセットテープ等を再生して、車内に搭載されたスピーカや表示装置等により、車内に音声出力したり、映像出力したりする。或いは、ラジオ電波やテレビ電波を受信し復調して、車内に音声出力したり、映像出力したりするように構成されている。
【０００３】
他方、車載用のナビゲーション装置では、表示装置により地図データ、現在位置データ、各種案内データ等を表示したり、車内に搭載されたスピーカにより、ナビゲーション用の案内メッセージ、警告メッセージ等を音声出力したりするように構成されている。
【０００４】
そして、同一車内に搭載される、これらの車載用の情報出力装置とナビゲーション装置とでは、表示装置やスピーカ等を兼用するように構成されているのが一般的である。
【発明の概要】
【発明が解決しようとする課題】
【０００５】
しかしながら、これら車載用の情報出力装置とナビゲーション装置とは、相互に独立した機能を有するに止まり、ナビゲーション用の入力データ（例えば、目的地データ）や出力データ（例えば、目的地までの所要時間、経路等）を、情報出力装置における音声出力や映像出力に反映させることはできない。例えば、目的地を入力したり、ナビゲーション装置における予定到着時刻や予定所要時間等を見た運転手や同乗者が自ら、これらの所要時間等に相応しい音声情報や映像情報が何であるかを調査し、更に該調査した音声情報や映像情報が出力されるように情報出力装置を設定或いは操作することによって、初めて自車の走行状況或いは走行予定状況に相応しい音声情報や映像情報を出力させることが可能となる。但し、目的地に到着する少し前に終了する一連の音声情報（例えば、音楽アルバム、同一アーティストに係る楽曲集、１本のラジオ番組など）や一連の映像情報（例えば、１本の映画、１冊の電子図書、１本のテレビ番組など）を選択することは、既に車内に乗り込んだ運転手や同乗者にとっては非常に面倒且つ困難である。このため、上述した自車の走行状況に相応しい音声情報や映像情報を選択するという人為的な作業自体も、実際に行なわれることは殆どない。
【０００６】
このように、近時における各種電子装置を共用したり更には同一移動体用電子システム内に構築される移動体用の情報出力装置とナビゲーション装置とを用いても、移動体の走行状況に相応しい音声情報や映像情報を出力させることはできないという問題点がある。
【０００７】
本発明は上記問題点に鑑みなされたものであり、移動体用の情報出力装置及び移動体用のナビゲーション装置を含んでなる移動体用電子システムを、移動体の移動状況に相応しい音声情報や映像情報を出力可能であるように制御する移動体用電子システムの制御装置及び制御方法、このような制御装置を備えた移動体用電子システム、並びにコンピュータをこのような制御装置として機能させるコンピュータプログラムを提供することを課題とする。
【課題を解決するための手段】
【０００８】
本発明の第１の移動体用電子システムの制御装置は上記課題を解決するために、(i)音声情報及び映像情報のうち少なくとも一方を含むコンテンツ情報を出力する出力手段を備えた情報出力装置と、(ii)移動体の移動における目的地を入力可能な入力手段及び前記移動体の現在位置から前記入力手段により入力された目的地に到着するまでに要する所要時間を算出する算出手段を備えたナビゲーション装置とを含んでなる移動体用電子システムを制御する制御装置であって、前記コンテンツ情報の出力に要する時間を示す出力時間情報に基づいて、前記目的地に到着するまでの前記移動体の移動中に出力すべきコンテンツ情報を、前記算出された所要時間に応じて選択する選択手段と、前記目的地に到着するまでの前記移動体の移動中に、前記選択手段により選択されたコンテンツ情報を出力するように前記出力手段を制御する出力制御手段とを備える。
【０００９】
本発明の第１の移動体用電子システムの制御装置によれば、移動体用電子システムにおいて、例えば、カーオーディオシステム、カーステレオシステム、カーテレビシステム、携帯テレビシステム等の情報出力装置が備える表示装置の画面上に、映像情報を含むコンテンツ情報が表示される。或いは、例えば車内に搭載されたスピーカや、携帯オーディオシステムのヘッドホーン等から、音声情報を含むコンテンツ情報が音声出力される。この際、映像情報としては、ＣＤ、ＤＶＤ、ハードディスク等の記録媒体から再生されたり、無線受信され且つ復調された映画、ドラマ、アニメ等の他、画面表示される映像化されたテキスト情報等を含む。音声情報としては、ＣＤ、ＤＶＤ、ハードディスク等の記録媒体から再生されたり、無線受信され且つ復調された楽曲の他、映像情報に付随した音声情報、音声化されたテキスト情報等を含む。尚、本発明では、このような映像情報及び音声情報を含めて、情報出力装置により運転手や同乗者或いは移動者等に対して何らかの形で出力可能な情報を「コンテンツ情報」という。また、本発明における「移動体」とは、移動体用の情報出力装置やナビゲーション装置が搭載される自動車、船舶、飛行機等の他、このような移動体用の情報出力装置やナビゲーション装置或いは移動体用電子システムを持ち歩く人間をも含む広い概念である。
【００１０】
他方、移動体用電子システムにおいて、ナビゲーション装置は例えば、ＧＰＳ（Global Positioning System）測位或いは自立測位により現在位置を測位し、現在位置から目的地までの最適経路を計算して表示装置に表示したり、現在位置付近の地図情報を表示装置に表示したり、これに現在位置マークを重畳したりする。但し、本発明におけるナビゲーション装置は、少なくとも、移動体の移動における目的地を入力可能なキー、マウス、タッチパネル、音声入力装置等の入力手段と、現在位置から目的地に到着するまでに要する所要時間を算出するＣＰＵ（Central Processing Unit）等の算出手段とを備える。
【００１１】
そして特に、選択手段によって、例えば予めメモリ等に記憶されており或いはデータベースから通信手段を介してダウンロードされておりコンテンツ情報の出力に要する時間を示す出力時間情報に基づいて、目的地に到着するまでの移動体の移動中に出力すべきコンテンツ情報を、算出された所要時間に応じて選択する。例えば、算出された所要時間と同じか若干短い録音時間を持つ音楽アルバムを選択したり、算出された所要時間と同じか若干短い録画時間を持つ映画を選択したりする。更には、運転手や同乗者等の好みに応じて予め設定された好みのアーティストや好みのジャンル等に属する楽曲や映像を、予め格納されたコンテンツ情報の中から取り出して又は通信手段を介してデータベースからダウンロードして、複数の楽曲等からなると共に所要時間で完結する複数のコンテンツ情報の組み合わせを示すプレイリストを作成する。或いは、所要時間で読むのに適した長さの電子図書等やテープ上に録音された物語等を選択する。または、内蔵クロックを参照することにより現在時刻も考慮して、所要時間内に終わるラジオ番組やテレビ番組を選択する。その後、目的地に到着するまでの移動体の移動中に、出力制御手段による制御下で、出力手段は、選択手段により選択されたコンテンツ情報を出力する。従って、ナビゲーション装置によって予定された所要時間に相応しいコンテンツ情報が移動中、出力され、目的地に到着する際には、このコンテンツ情報の出力は完結するか、或いは区切りのよいところでコンテンツ情報の出力は終了する。
【００１２】
このように、情報出力装置及びナビゲーション装置を含む移動体用電子システムにおいて、移動体の移動状況に相応しい音声出力や映像出力が可能となる。
【００１３】
本発明の第１の移動体用電子システムの制御装置の一態様では、前記移動体の移動が予定通りであるか否かを監視する監視手段を更に備えており、前記選択手段は、前記監視手段による監視結果に従って前記移動体の移動が予定通りでない場合に、現在時刻以降に出力すべきコンテンツ情報に変更を加える。
【００１４】
この態様によれば、監視手段による監視結果に従って、移動体の移動が予定通りでない場合、即ち、予定よりも目的地に早く到着しそうな場合や遅く到着しそうな場合に、選択手段は、現在時刻以降に出力すべきコンテンツ情報に変更を加える。例えば、予定よりも早く到着しそうな場合には、複数の楽曲からなる楽曲アルバムの途中の楽曲をプレイリスト中から間引いたり、予定よりも目的地に遅く到着しそうな場合には、再生中の楽曲アルバムと類似の楽曲アルバム（例えば、同一アーティストや同一ジャンルに係る楽曲）をプレイリスト中に挿入したりする。従って、道路渋滞や寄り道等によって、予定通りに移動していない場合であっても、その後目的地に到着する際には、このように変更されたコンテンツ情報の出力は完結するか、或いは区切りのよいところでコンテンツ情報の出力は終了する。
【００１５】
このように、情報出力装置及びナビゲーション装置を含む移動体用電子システムにおいて、道路渋滞等により予定から外れた場合であっても、移動体の移動状況に相応しい音声出力や映像出力が可能となる。
【００１６】
或いは本発明の第１の移動体用電子システムの制御装置の他の態様では、前記移動体の移動が予定通りであるか否かを監視する監視手段を更に備えており、前記出力制御手段は、前記監視手段による監視結果に従って前記移動体の移動が予定通りでない場合に、現在時刻以降における出力方法に変更を加えるように前記出力手段を制御する。
【００１７】
この態様によれば、監視手段による監視結果に従って、移動体の移動が予定通りでない場合、即ち、予定よりも目的地に早く到着しそうな場合や遅く到着しそうな場合に、出力制御手段は、現在時刻以降における出力方法に変更を加えるように出力手段を制御する。例えば、予定よりも早く到着しそうな場合には、再生中の音声情報や映像情報を早送り或いは倍速再生したり、予定よりも目的地に遅く到着しそうな場合には、再生中の音声情報や映像情報を静止画或いはスロー再生したりする。従って、道路渋滞や寄り道等によって、予定通りに移動していない場合であっても、その後目的地に到着する際には、このように出力方法に変更が加えられたコンテンツ情報の出力は完結するか、或いは区切りのよいところでコンテンツ情報の出力は終了する。
【００１８】
このように、情報出力装置及びナビゲーション装置を含む移動体用電子システムにおいて、道路渋滞等により予定から外れた場合であっても、移動体の移動状況に相応しい音声出力や映像出力が可能となる。
【００１９】
これらの算出手段が通過予定地点又は予定通過時刻を算出する態様では、前記算出手段は、前記経路上の複数の地点における通過予定時刻を更に算出し、前記監視手段は、前記通過予定時刻と現在時刻とを比較することで監視し、前記選択手段は、前記監視手段による比較結果に応じて前記現在時刻以降に出力すべきコンテンツ情報に変更を加えるか、又は前記出力制御手段は前記監視手段による監視結果に応じて前記現在時刻以降における出力方法に変更を加えるように前記出力手段を制御するように構成してもよい。
【００２０】
このように構成すれば、監視手段が、算出手段で得られる通過予定時刻と、内蔵クロック等で得られる現在時刻とを比較することで、移動体の移動が予定通りであるか否かを確実に監視することが可能となる。そして、この監視手段による比較結果に応じて、選択手段が現在時刻以降に出力すべきコンテンツ情報に変更を加えるか、又は、出力制御手段が現在時刻以降における出力方法に変更を加える。
【００２１】
これらの算出手段が通過予定地点又は予定通過時刻を算出する態様では、前記算出手段は、前記経路上の複数の時刻における通過予定地点を更に算出し、前記監視手段は、前記通過予定地点と現在位置とを比較することで監視し、前記選択手段は、前記監視手段による比較結果に応じて前記現在時刻以降に出力すべきコンテンツ情報に変更を加えるか、又は前記出力制御手段は前記監視手段による監視結果に応じて前記現在時刻以降における出力方法に変更を加えるように前記出力手段を制御するように構成してもよい。
【００２２】
このように構成すれば、監視手段が、算出手段で得られる通過予定地点と、ナビゲーション装置等で得られる現在位置とを比較することで、移動体の移動が予定通りであるか否かを確実に監視することが可能となる。そして、この監視手段による比較結果に応じて、選択手段が現在時刻以降に出力すべきコンテンツ情報に変更を加えるか、又は、出力制御手段が現在時刻以降における出力方法に変更を加える。
【００２３】
本発明の第１の移動体用電子システムの制御装置の他の態様では、前記出力時間情報を格納する格納手段を更に備える。
【００２４】
この態様によれば、ハードディスクユニット等の格納手段に、予め出力時間情報を格納しておくことにより、選択手段が、この格納された出力時間情報を参照しつつ、コンテンツ情報を迅速且つ確実に選択できる。
【００２５】
この態様では、前記格納手段は、前記出力時間情報に関連付けて前記コンテンツ情報を格納するように構成してもよい。
【００２６】
このように構成すれば、ハードディスクユニット等の格納手段に、予め出力時間情報及びこれに関連付けて各コンテンツ情報を格納しておくことにより、選択手段が、この格納された出力時間情報を参照しつつ、この格納されたコンテンツ情報を迅速且つ確実に選択できる。例えば、各コンテンツ情報のヘッダーに、出力時間情報を記録しておいてもよいし、各コンテンツ情報に対する出力時間情報をテーブル形式で記録しておいてもよい。
【００２７】
本発明の第１の移動体用電子システムの制御装置の他の態様では、前記入力手段は、前記移動体の移動中に出力すべきコンテンツ情報を絞り込む条件を入力可能に構成されており、前記選択手段は、前記所要時間に加えて前記入力手段により入力された条件に応じて前記コンテンツ情報を選択する。
【００２８】
この態様によれば、入力手段により、移動体の移動中に出力すべきコンテンツ情報を絞り込む条件、例えばアーティスト名、ジャンル名、アルバム名、嗜好、移動目的、同乗者の種別等である条件を入力しておけば、その後、選択手段が、コンテンツ情報を選択する際には、所要時間に加えてこの条件に応じて当該コンテンツ情報を選択するので、入力手段を操作する運転手や同乗者等の好みに応じたコンテンツ情報であって、所要時間に相応しい音声情報を出力することも可能となる。
【００２９】
或いは本発明の第１の移動体用電子システムの制御装置の他の態様では、前記情報出力装置により過去に出力されたコンテンツ情報に係る履歴情報に基づいて、前記移動体の移動中に出力すべきコンテンツ情報を絞り込む条件を設定する条件設定手段を更に備えており、前記選択手段は、前記所要時間に加えて前記条件設定手段により設定された条件に応じて前記コンテンツ情報を選択する。
【００３０】
この態様によれば、条件設定手段により、移動体の移動中に出力すべきコンテンツ情報を絞り込む条件を、過去に出力されたコンテンツ情報に係る履歴情報に基づいて、選択手段による選択に先立って或いは選択とほぼ同時に設定する。すると、選択手段が、所要時間に加えてこの条件に応じて当該コンテンツ情報を選択するので、情報出力装置を実際に操作する運転手や同乗者等の好みに応じたコンテンツ情報であって、所要時間に相応しい音声情報を出力することも可能となる。
【００３１】
本発明の第１の移動体用電子システムの制御装置の他の態様では、前記移動体の移動中における所定種類の特殊状況を検出する状況検出手段を更に備えており、前記出力制御手段は、前記状況検出手段により前記特殊状況が検出された場合に、前記選択手段による選択結果にかかわらず、前記特殊状況時に出力すべきものとして予め設定されているコンテンツ情報を優先的に出力するように前記出力手段を制御する。
【００３２】
この態様によれば、例えば運転手が疲労している状況や、運転手に眠気がきている状況などの特殊状況時に出力すべきコンテンツ情報を、予め設定しておく。例えば、運転手が疲労している特殊状況に対しては、一般的な人体生理学の見地に従ったデフォールト値としての疲労を癒すような楽曲、或いは運転手等の自らの判断により疲労を癒すような楽曲等を予め設定しておく。また例えば、運転手に眠気がきている特殊状況に対しては、眠気を覚ます楽曲等を予め設定しておく。その後、移動体の移動中に、状況検出手段によりこの特殊状況が検出されると、選択手段による選択結果にかかわらず、出力制御手段による制御下で、出力手段は、特殊状況時に出力すべきものとして予め設定されているコンテンツ情報を優先的に出力する。従って、特殊状況においては、所要時間に応じて選択されたコンテンツ情報に代えて、当該特殊状況に相応しいコンテンツ情報が運転手等に対して出力されるので、運転手等にとって快適或いは相対的に安全性の高い移動環境が得られる。また、出力手段からの出力を、特殊状況に相応しいコンテンツ情報に切り替えるタイミングとしては、状況検出手段が特殊状況を検出した際に即時に切り替えるように構成してもよいし、現在出力されているコンテンツ情報における適当な区切りを待って切り替えるように構成してもよい。
【００３３】
本発明の第２の移動体用電子システムの制御装置は上記課題を解決するために、(i)音声情報及び映像情報のうち少なくとも一方を含むコンテンツ情報を出力する出力手段を備えた情報出力装置と、(ii)移動体の移動状況に関連付けられる測定データを出力する測定手段を備えたナビゲーション装置とを含んでなる移動体用電子システムを制御する制御装置であって、前記移動体の移動中における所定種類の特殊状況を前記測定データに基づいて検出する状況検出手段と、前記移動体の移動中に、前記状況検出手段により前記特殊状況が検出された場合に、前記特殊状況時に出力すべきものとして予め設定されているコンテンツ情報を優先的に出力するように前記出力手段を制御する出力制御手段とを備える。
【００３４】
本発明の第２の移動体用電子システムの制御装置によれば、移動体用電子システムにおいて情報出力装置が備える表示装置の画面上に、映像情報を含むコンテンツ情報が表示されたり、スピーカから音声情報を含むコンテンツ情報が音声出力される。他方、移動体用電子システムにおいて、ナビゲーション装置の測定手段は、例えば、ＧＰＳ測位或いは自立測位により現在位置を測位すると共に、例えば速度、角速度、加速度、移動方位、軌跡等の移動状況に関連つけられる測定データを出力する。そして、ナビゲーション装置は、現在位置から目的地までの最適経路を計算して表示装置に表示したり、現在位置付近の地図情報を表示装置に表示したり、これに現在位置マークを重畳したりする。
【００３５】
そして、例えば運転手が疲労している状況や、運転手に眠気がきている状況などの特殊状況時に出力すべきコンテンツ情報を、予め設定しておく。例えば、運転手が疲労している特殊状況に対しては、一般的な人体生理学の見地に従ったデフォールト値としての疲労を癒すような楽曲、或いは運転手等の自らの判断により疲労を癒すような楽曲等を予め設定しておく。また例えば、運転手に眠気がきている特殊状況に対しては、眠気を覚ます楽曲等を予め設定しておく。その後、移動体の移動中に、ナビゲーション装置の測定手段が出力する測定データに基づいて、状況検出手段によりこの特殊状況が検出されると、出力制御手段による制御下で、出力手段は、特殊状況時に出力すべきものとして予め設定されているコンテンツ情報を優先的に出力する。従って、特殊状況においては、任意に選択されたコンテンツ情報に代えて、当該特殊状況に相応しいコンテンツ情報が運転手等に対して出力されるので、運転手等にとって快適或いは相対的に安全性の高い移動環境が得られる。
【００３６】
この第１又は第２の移動体用電子システムの制御装置における状況検出手段に係る態様では、前記入力手段は、前記特殊状況時に出力すべきコンテンツ情報を設定可能であるように構成してもよい。
【００３７】
このように構成すれば、何らかの特殊状況で出力されるコンテンツ情報を、入力手段を介して、運転手や同乗者等自らの希望通りに簡単に設定できるので、実用上便利である。
【００３８】
この第１又は第２の移動体用電子システムの制御装置における状況検出手段に係る態様では、前記状況検出手段は、前記移動体の移動開始時からの連続的な移動時間が所定時間を超えたことで、前記特殊状況を検出するように構成してもよい。
【００３９】
このように構成すれば、例えば２時間等の所定時間を超えた連続的な移動を行なった状況を、運転手や同乗者等が疲労している特殊状況であると擬制して、状況検出手段による検出が行なわれる。
【００４０】
この第１又は第２の移動体用電子システムの制御装置における状況検出手段に係る態様では、前記状況検出手段は、前記移動体が既に移動した経路上における渋滞の度合いに基づいて前記特殊状況を検出するように構成してもよい。
【００４１】
このように構成すれば、例えば所定時間以上の渋滞を経て移動を続けている状況を、運転手や同乗者等が疲労している特殊状況であると擬制して、状況検出手段による検出が行なわれる。
【００４２】
この第１又は第２の移動体用電子システムの制御装置における状況検出手段に係る態様では、前記状況検出手段は、前記移動体の移動軌跡が所定基準に対して異常であることで、前記特殊状況を検出するように構成してもよい。
【００４３】
このように構成すれば、例えば蛇行運転や急ハンドルなど、移動軌跡が異常である状況を、運転手に眠気がきている特殊状況であると擬制して、状況検出手段による検出が行なわれる。
【００４４】
本発明の移動体用電子システムの制御装置の他の態様では、前記状況検出手段は、蛇行運転を前記特殊状況として検出する。
【００４５】
本発明の移動体用電子システムの制御装置の他の態様では、前記状況検出手段は、急ハンドルを前記特殊状況として検出する。
【００４６】
本発明の移動体用電子システムの制御装置の他の態様では、前記出力制御手段は、前記特殊状況が検出された場合に、前記コンテンツ情報の音量ボリュームを上げるように前記出力手段を制御する。
【００４７】
本発明の移動体用電子システムの制御装置の他の態様では、前記出力制御手段は、前記特殊状況が検出された場合に、前記コンテンツ情報の音量ボリュームを下げるように前記出力手段を制御する。
【００４８】
本発明のコンピュータプログラムは上記課題を解決するために、コンピュータを、上述した本発明の第１又は第２の移動体用電子システムの制御装置（但し、その各種態様も含む）として機能させる。
【００４９】
本発明のコンピュータプログラムによれば、当該コンピュータプログラムを格納するＣＤ−ＲＯＭ（Compact Disc  Read Only Memory）、ＤＶＤ−ＲＯＭ（DVD  Read Only Memory）、ハードディスク等の記録媒体から、当該コンピュータプログラムをコンピュータに読み込んで実行させれば、或いは、当該コンピュータプログラムを通信手段を介してコンピュータにダウンロードさせた後に実行させれば、上述した本発明の第１又は第２の移動体用電子システムの制御装置を比較的簡単に実現できる。またこのようなコンピュータプログラムをナビゲーションや音声映像出力に必要なアプリケーションプログラムや、地図データ、音声情報データ、映像情報データ等の他のデータと共にサーバー装置から送信することも可能である。
【００５０】
本発明の移動体用電子システムは上記課題を解決するために、上述した本発明の第１又第２の移動体用電子システムの制御装置（但し、その各種態様も含む）と、前記情報出力装置と、前記ナビゲーション装置とを含んでなる。
【００５１】
本発明の移動体用電子システムによれば、上述した本発明の第１又は第２の移動体用電子システムの制御装置を含んでなるので、移動体の移動状況に相応しい音声出力や映像出力が可能となる。
【００５２】
本発明の移動体用電子システムの一態様では、前記コンテンツ情報及び前記出力時間情報のうち少なくとも一方をダウンロード可能な通信手段を更に備える。
【００５３】
この態様によれば、例えば携帯電話等の通信手段によって、コンテンツ情報及び出力時間情報のうち少なくとも一方をダウンロードできるので、所要時間に応じたコンテンツ情報を選択し且つこれを出力する環境を比較的簡単且つ容易に得られる。
【００５４】
本発明の第１の移動体用電子システムの制御方法は上記課題を解決するために、(i)音声情報及び映像情報のうち少なくとも一方を含むコンテンツ情報を出力する出力手段を備えた情報出力装置と、(ii)移動体の移動における目的地を入力可能な入力手段及び前記移動体の現在位置から前記入力手段により入力された目的地に到着するまでに要する所要時間を算出する算出手段を備えたナビゲーション装置とを含んでなる移動体用電子システムを制御する制御方法であって、前記コンテンツ情報の出力に要する時間を示す出力時間情報に基づいて、前記目的地に到着するまでの前記移動体の移動中に出力すべきコンテンツ情報を、前記算出された所要時間に応じて選択する選択工程と、前記目的地に到着するまでの前記移動体の移動中に、前記選択工程により選択されたコンテンツ情報を出力するように前記出力手段を制御する出力制御工程とを備える。
【００５５】
本発明の第１の移動体用電子システムの制御方法によれば、上述した本発明の第１の移動体用電子システムの制御装置の場合と同様に、情報出力装置及びナビゲーション装置を含む移動体用電子システムにおいて、移動体の移動状況に相応しい音声出力や映像出力が可能となる。
【００５６】
本発明の第２の移動体用電子システムの制御方法は上記課題を解決するために、(i)音声情報及び映像情報のうち少なくとも一方を含むコンテンツ情報を出力する出力手段を備えた情報出力装置と、(ii)移動体の移動状況に関連付けられる測定データを出力する測定手段を備えたナビゲーション装置とを含んでなる移動体用電子システムを制御する制御方法であって、前記移動体の移動中における所定種類の特殊状況を前記測定データに基づいて検出する状況検出工程と、前記移動体の移動中に、前記状況検出工程により前記特殊状況が検出された場合に、前記特殊状況時に出力すべきものとして予め設定されているコンテンツ情報を優先的に出力するように前記出力手段を制御する出力制御工程とを備える。
【００５７】
本発明の第２の移動体用電子システムの制御方法によれば、上述した本発明の第２の移動体用電子システムの制御装置の場合と同様に、情報出力装置及びナビゲーション装置を含む移動体用電子システムにおいて、移動体の移動状況に相応しい音声出力や映像出力が可能となる。
【００５８】
本発明のこのような作用及び他の利得は次に説明する実施の形態から明らかにされる。
【図面の簡単な説明】
【００５９】
【図１】本発明の第１実施形態の車載用電子システムの構成を示すブロック図である。
【図２】第１実施形態で用いられる楽曲データベースにおけるデータ構成を示す概念図である。
【図３】第１実施形態における動作を示すフローチャートである。
【図４】図３に示した第１実施形態における動作を、ナビゲーションシステム、エージェント、楽曲データベース及びカーオーディオシステムの別に経時的に示す概念図である。
【図５】第２実施形態における動作を示すフローチャートである。
【図６】図５に示した第２実施形態における動作を、ナビゲーションシステム、エージェント、楽曲データベース及びカーオーディオシステムの別に経時的に示す概念図である。
【図７】第３実施形態における動作を示すフローチャートである。
【図８】図７に示した第３実施形態における動作を、ナビゲーションシステム、エージェント、楽曲データベース及びカーオーディオシステムの別に経時的に示す概念図である。
【発明を実施するための形態】
【００６０】
以下、本発明の実施の形態を図面に基づいて説明する。尚、以下に説明する各実施形態は、本発明の移動体用電子システムを車載用電子システムとして構築したものである。
【００６１】
（第１実施形態）
先ず、第１実施形態の車載用電子システムについて図１から図４を参照して説明する。図１は、本発明の第１実施形態の車載用電子システムのブロック図であり、図２は、第１実施形態で用いられる楽曲データベースにおけるデータ構成を示す概念図である。図３は、第１実施形態における動作を示すフローチャートであり、図４は、図３に示した第１実施形態における動作を、ナビゲーションシステム、エージェント、楽曲データベース及びカーオーディオシステムの別に経時的に示す概念図である。
【００６２】
図１に示すように、本実施形態の車載用電子システムは、自立測位装置１０、ＧＰＳ受信器１８、システムコントローラ２０、ＣＤ−ＲＯＭドライブ３１、ＤＶＤ−ＲＯＭドライブ３２、ハードディスクユニット３６、通信用インタフェース３７、通信装置３８、表示ユニット４０、音声出力ユニット５０及び入力装置６０を備えて構成されている。
【００６３】
自立測位装置１０は、加速度センサ１１、角速度センサ１２及び速度センサ１３を含んで構成されている。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。
【００６４】
速度センサ１３は、機械的、磁気的又は光学的に車両の車軸の回転を検出し、車軸における所定角度の回転毎に、パルス信号たる車速パルスを発生す車速センサからなる。
【００６５】
ＧＰＳ受信器１８は、緯度及び経度情報等から車両の絶対的な位置を検出するために用いられるべき複数のＧＰＳ衛星からの測位用のデータを含む下り回線データを搬送する電波１９を受信する部分である。
【００６６】
システムコントローラ２０は、インタフェース２１、ＣＰＵ（Central Processing Unit）２２、ＲＯＭ（Read Only Memory）２３及びＲＡＭ（Random Access Memory）２４を含んでおり、車載用電子システム全体の制御を行うように構成されている。
【００６７】
インタフェース２１は、加速度センサ１１、角速度センサ１２及び速度センサ１３並びにＧＰＳ受信器１８とのインタフェース動作を行う。そして、これらから、車速パルスの他、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００６８】
システムコントローラ２０、ＣＤ−ＲＯＭドライブ３１、ＤＶＤ−ＲＯＭドライブ３２、ハードディスクユニット３６、通信用インタフェース３７、表示ユニット４０、音声出力ユニット５０及び入力装置６０は、バスライン３０を介して相互に接続されている。
【００６９】
ＣＤ−ＲＯＭドライブ３１及びＤＶＤ−ＲＯＭドライブ３２は、システムコントローラ２０の制御の下、ＣＤ３３及びＤＶＤ３４から夫々、車線数、道幅等を含む道路データ等の各種データ及び後述の各実施形態に対応する制御プログラムを読み出し、出力する。
【００７０】
更に、ＣＤ−ＲＯＭドライブ３１及びＤＶＤ−ＲＯＭドライブ３２は、システムコントローラ２０の制御の下、ＣＤ３３及びＤＶＤ３４から夫々、コンテンツ情報の一例を構成する音声データや映像データを読み出す。
【００７１】
尚、ＣＤ−ＲＯＭドライブ３１及びＤＶＤ−ＲＯＭドライブ３２は、いずれか一方だけ設けてもよいし、ＣＤ及びＤＶＤコンパチブルのドライブを設けてもよい。
【００７２】
ハードディスクユニット３６は、ＣＤ−ＲＯＭドライブ３１或いはＤＶＤ−ＲＯＭドライブ３２から読み込まれた、音声データや映像データを格納したり、地図データ等を含むナビゲーション用のデータを格納する。これにより例えば、ＣＤ−ＲＯＭ３３やＤＶＤ−ＲＯＭ３４上の地図データを読み出してナビゲーション動作を行いながら、ハードディスクユニット３６に格納された音声データや映像データを読み出して音声出力や映像出力が可能となる。或いは、ＣＤ−ＲＯＭ３３やＤＶＤ−ＲＯＭ３４上の音声データや映像データを読み出して音声出力や映像出力を行いながら、ハードディスクユニット３６に格納された地図データを読み出してナビゲーション動作が可能となる。更に、通信装置３８によりダウンロードした音声データや映像データ或いは地図データ等をハードディスクユニット３６に格納しておき、その後の任意の時点でこれを読み出して出力可能となる。
【００７３】
通信装置３８は、例えば携帯電話からなり、モデム等を構成する通信用インタフェース３７を介して、音声データや映像データ或いは地図データ等、若しくはこれらに関する所定種類のデータベースの全部又は一部をダウンロード可能に構成されている。
【００７４】
表示ユニット４０は、システムコントローラ２０の制御の下、各種表示データを表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM ）等のメモリからなり即時表示可能な画像情報を一時的に記憶するバッファメモリ４２と、グラフィックコントローラ４１から出力される画像データに基づいて、小型のＬＣＤ（Liquid Crystal Display：液晶表示装置）、ＥＬ（Electro-Luminescence）ディスプレイ、ＣＲＴ（Cathode Ray Tube）等のディスプレイ４４を表示制御する表示制御部４３と、ディスプレイ４４とを備えて構成されている。ディスプレイ４４は、例えば対角５〜１０インチ程度の液晶表示装置等からなり、車内のフロントパネル付近に装着される。
【００７５】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声ディジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００７６】
入力装置６０は、各種コマンドやデータを入力するための、キー、スイッチ、ボタン、リモコン、音声入力装置等から構成されている。入力装置１６は、車内に搭載された当該車載用電子システムの本体のフロントパネルやディスプレイ４４の周囲に配置される。
【００７７】
以上説明したように、本実施形態の車載用電子システムでは、自立測位装置１０、ＧＰＳ受信器１８、システムコントローラ２０、ＣＤ−ＲＯＭドライブ３１、ＤＶＤ−ＲＯＭドライブ３２、ハードディスクユニット３６、通信用インタフェース３７、通信装置３８、表示ユニット４０、音声出力ユニット５０及び入力装置６０などからナビゲーションシステムが構築されていると共に、システムコントローラ２０、ＣＤ−ＲＯＭドライブ３１、ＤＶＤ−ＲＯＭドライブ３２、ハードディスクユニット３６、通信用インタフェース３７、通信装置３８、表示ユニット４０、音声出力ユニット５０及び入力装置６０などからカーオーディオシステムが構築されている。即ち、複数の構成要素が、ナビゲーションシステム及びカーオーディオシステムとで共有されており、一つの車載用電子システム全体として、同一のシステムコントローラ２０による統一的な制御が行なわれる。
【００７８】
加えて本実施形態の車載用電子システムでは特に、ハードディスクユニット３６内に、楽曲データベースが構築されている。
【００７９】
例えば図２（ａ）に示すように、楽曲データベース１００は、楽曲を演奏するための音声情報を含んでなるコンテンツ情報とは分離した形で、その演奏時間、ジャンル、演奏アーティスト、歌詞等の属性情報ファイル１０１が、例えば各楽曲のタイトルに対応付けられた形式で多数格納されることで創生される。このような楽曲データベース１００は、例えばインターネット上で入手可能である。或いは、図２（ｂ）に示すように、このような属性情報ファイル１０１を、対応する音声情報を含んでなるコンテンツ情報２００のヘッダー１０２内に格納することで、複数のコンテンツ情報２００を含んでなる楽曲データベース１００'を創生することも可能である。
【００８０】
但し、このような楽曲データベース１００或いは１００'をハードディスクユニット３６内に構築するのに代えて又は加えて、システムコントローラ２０により、通信装置３８を介して遠隔地にあるサーバー装置等内に構築された楽曲データベースにアクセスするように構成してもよい。
【００８１】
尚、車載用電子システムは、図１に図示した構成要素に加えて、ラジオアンテナ、ラジオチューナ、テレビアンテナ、テレビチューナ、カセットデッキ、ＭＤドライブ等の公知のカーオーディオシステムやカーテレビシステムを構成する各種要素を備えて構成されてよいことは言うまでもない。
【００８２】
第１実施形態及び後述する各実施形態におけるデータ処理は、主として図１に示したＣＰＵ２２において実行されるものである。より具体的には、ナビゲーションシステムの制御用のコンピュータプログラム、カーオーディオシステム制御用のコンピュータプログラム及びデータベース制御用のコンピュータプログラムは、主にＣＰＵ２２において実行されるものである。そして、後述の如く各種機能を有するエージェントも、コンピュータプログラムにより、ＣＰＵ２２内に論理的に構築されるものである。また、このようなコンピュータプログラムは、ＲＯＭ２３、ＣＤ−ＲＯＭ３１又はＤＶＤ−ＲＯＭ３２に格納されていてもよく、モデム、携帯電話等の通信装置３８を介してＲＡＭ４２、ハードディスクユニット３６等にダウンロードされてもよい。
【００８３】
次に、以上のように構成された第１実施形態の車載用電子システムにおける、目標地までの所要時間に応じて楽曲リストを作成する処理について図３のフローチャート及び図４の概念図を参照して説明する。本実施形態では、図４に概念的に示したように目的地までの所要時間に応じて楽曲リストを作成するエージェント２２１が、ＣＰＵ２２内に論理的に構築されている。尚、図４では、楽曲データベース１００（図２参照）及びエージェント２２１と共に、ＣＰＵ２２等から構築されるナビゲーションシステム（ナビ）２２２及びカーオーディオシステム（カーオーディオ）２２３が概念的に図示されており、図４は、図３における各ステップの処理がこれら４つの構成要素間のうちどの間で或いはどれで行なわれる処理であるかを示している。より具体的には、図４において、４つの構成要素間の処理については、４つの構成要素から伸びる縦ライン間に渡された矢印の向きが、処理の向きを示すと共に図３に対応するステップ番号付きで各矢印の下側に処理内容が示されており、４つの構成要素のいずれか一つで単独に行なわれる処理については、４つの構成要素から伸びる縦ライン上に示されている。更に、図４では、処理の時間的な流れとしては、上側から下側に向かうものである。
【００８４】
図３及び図４において、自車が走行を開始するに際し、ナビゲーションシステム２２２に対して入力装置６０（図１参照）を介して目的地が設定されると、先ずナビゲーションシステム２２２により、現在位置から目的地に到着するまでに要する予想所要時間及び予想到着時刻が算出される。これと共に、ナビゲーションシステム２２２により、目的地までの最適経路が算出され、更に、経路上の複数の地点における予想通過時刻や、複数の時刻における予想通過地点等が算出される。このように、ナビゲーションシステム２２２により、少なくとも予想所要時間が算出されていることを前提として、エージェント２２１により、楽曲リスト自動設定モードであるか否かが判定される（ステップＳ１１）。ここに、「楽曲リスト自動設定モード」とは、目的地までの予想所要時間に応じて、目的地に到着するまでの間に再生する楽曲群を選択して、楽曲リストを自動的に作成するモードであり、例えば入力装置６０等におけるモード選択ボタンを押すことにより或いは音声入力によりモード設定される。尚、この楽曲リスト自動設定モードの他に、例えば楽曲リストをマニュアル操作により作成するモード、楽曲リストを作成しないモード等が設けられる。尚、エージェント２２１では、このようにナビゲーションシステム２２２で算出された予想所要時間や、予想通過時刻又は予想通過地点等の情報を保存しておく。
【００８５】
ここで楽曲リスト自動設定モードが設定されていない場合（ステップＳ１１：Ｎｏ）、エージェント２２１は、当該楽曲リスト作成処理を終了する。
【００８６】
他方、楽曲リスト自動設定モードが設定されている場合（ステップＳ１１：Ｙｅｓ）、エージェント２２１は、ナビゲーションシステム２２２から予想所要時間と予想到着時刻とを示すデータを受信する（ステップＳ１２）。
【００８７】
続いて、エージェント２２１は、楽曲データベース内に保存されている全楽曲のリストを、ハードディスクユニット３６内に構築された楽曲データベース１００（図２参照）に対して要求する（ステップＳ１３）。
【００８８】
このエージェント２２１からの楽曲リストの要求に応じて、楽曲データベース１００は、楽曲リストを通知し、エージェント２２１は、出力時間情報の一例たる演奏時間、アーティスト名などの情報（図２参照）を受信する（ステップＳ１４）。尚、出力時間情報としては、楽曲単位の演奏時間の他、アルバム単位の演奏時間やアルバム集単位の演奏時間など、任意の単位についての演奏時間であってもよい。
【００８９】
次に、選択手段の一例として機能するエージェント２２１は、このように楽曲データベース１００から受信した演奏時間を参照しつつ、目的地までの走行中に再生すべき楽曲群を、予想所要時間に応じて選択して、該選択した一又は複数の楽曲を示す楽曲リスト或いは再生リストを作成する（ステップＳ１５）。続いて、出力制御手段の一例としても機能するエージェント２２１は、カーオーディオシステム２２３に対して、当該作成した楽曲リストに従って楽曲を再生するように指示する（ステップＳ１６）。この楽曲リストの作成に際し、特に指定がない場合には、予想所要時間に合わせて再生が終了するようにランダムに再生順序を構築すればよい。例えば、所要時間が４５分と算出されていれば、４０〜４５分程度で終了する音楽アルバムを選択したり、所要時間が２時間と算出されていれば、１時間５０分程度で終了するアルバム集を選択したりする。或いは、所要時間が４５分とされていれば、１時間の楽曲アルバムのうち過去の履歴等に応じて或いはランダムに、そのうちの数曲を間引くように楽曲リストを作成してもよい。逆に、所要時間が１時間とされていれば、４５分の楽曲アルバムに、同一アーティストの楽曲を付け加えて１時間の楽曲リストを作成してもよい。更に、アルバム等としてはまとめられておらず分散して格納されている同一アーティストについての楽曲集をなすように楽曲リストを作成してもよい。
【００９０】
これを受けたカーオーディオシステム２２３は、楽曲データベース１００と共に或いはこれに対応付けられてハードディスクユニット３６内に格納された音声情報（コンテンツ情報）を楽曲リスト順に要求し（図４のステップＳ１６ａ）、この要求に応じて楽曲データベース１００から提供された音声情報をカーオーディオシステム２２３は順次再生する（図４のステップＳ１６ｂ）。
【００９１】
その後の走行中には、ステップＳ１５で作成された楽曲リストに従っての再生が継続されるが、エージェント２２１は、走行中の位置と所要時間を監視するモードに入る（ステップＳ１７）。即ち、ナビゲーションシステム２２２により算出された経路上の所定地点における予定通過時刻と現在時刻とを、当該地点を実際に通過する際に比較して、予定より遅れていないか又は進んでいないかを監視する。或いは、ナビゲーションシステム２２２により算出された所定時刻における予定通過地点と現在位置とを、当該所定時刻に比較して、予定より遅れていないか又は進んでいないかを監視する。
【００９２】
そして、予定通りに走行を終了する場合は、実際に自車が目的地に到着した際に、ナビゲーションシステム２２２からの到着報告をエージェント２２１が受けて（ステップＳ１８）、一連の処理を終える。この際特に、ナビゲーションシステム２２２により算出された所要時間に相応しいコンテンツ情報が走行中、車内に出力され、目的地に到着する際には、このコンテンツ情報の出力は完結するか、或いは区切りのよいところでコンテンツ情報の出力は終了することになる。
【００９３】
以上説明したように、第１実施形態によれば、情報出力装置の一例たるカーオーディオシステム２２３及びナビゲーション装置の一例たるナビゲーションシステム２２２を含む車載用電子システムにおいて、エージェント２２１によって、自車の走行状況に相応しいコンテンツ情報の一例たる音声情報の出力が可能となる。
【００９４】
尚、本実施形態及び以下の各実施形態では、予想所要時間に応じて選択されるコンテンツ情報は、楽曲を出力するための音声情報としたが、音声情報及び映像情報の両者を含むコンテンツ情報を選択して再生するように構成してもよいし、音声情報を伴わない映像情報のみからなるコンテンツ情報を選択して再生するように構成してもよい。更に、電子図書等やテープ上に録音された物語等からなるコンテンツ情報を選択して再生するように構成してもよい。または、内蔵クロックを参照することにより現在時刻も考慮して、予想所要時間内に終わるラジオ番組やテレビ番組を選択して音声出力や映像出力するように構成してもよい。
【００９５】
加えて、第１実施形態では、運転手や同乗者の好みに応じて予め設定された好みのアーティストや好みのジャンル等に属する楽曲や映像を、選択のための絞り込み条件として予め設定しておき、ステップＳ１３で当該絞り込み条件を満たすもののみ要求するか、或いはステップＳ１５で当該絞り込み条件を満たすもののみ選択するように構成してもよい。例えば、入力装置６０（図１参照）により、絞り込み条件として、アーティスト名、ジャンル名、アルバム名、ユーザの嗜好、走行目的、同乗者の種別等を入力しておけば、その後、エージェント２２１は、ナビゲーションシステム２２２が算出した予想所要時間に加えて、この絞り込み条件に応じて当該コンテンツ情報を選択するので、運転手や同乗者の好みに応じたコンテンツ情報であって、所要時間に相応しいコンテンツ情報が出力されることになる。例えば、好みのアーティストやジャンルの楽曲ばかりを再生したり、家族で聞きたい曲を優先して再生したり、必ず１曲目に掛けたい曲を１曲目に再生したりが可能となる。
【００９６】
更に、カーオーディオシステム２２３により過去に出力された楽曲に係る履歴情報に基づいて、このような絞り込み条件を自動的に設定するように構成してもよい。この場合には、絞り込み条件として、例えばアーティスト名、ジャンル名、アルバム名、嗜好、走行目的、同乗者の種別等を、過去にオーディオシステム２２３から出力されたコンテンツ情報に係る履歴情報に基づいて、設定する。そして、ステップＳ１３で当該絞り込み条件を満たすもののみ要求するか、或いはステップＳ１５で当該絞り込み条件を満たすもののみ選択するように構成してもよい。
【００９７】
このように絞り込み条件を入力或いは設定する場合、楽曲データベース１００における好みに沿う楽曲に対して、その旨のタグを予め付けておき、これに基づいて、楽曲データベース１００における検索や、エージェント２２１における選択を行なうように構成することも可能である。
【００９８】
（第２実施形態）
次に、本発明の第２実施形態について、図５及び図６を参照して説明する。ここに、図５は、第２実施形態における動作を示すフローチャートであり、図６は、図５に示した第２実施形態における動作を、図４と同様にナビゲーションシステム、エージェント、楽曲データベース及びカーオーディオシステムの別に経時的に示す概念図である。尚、第２実施形態のハードウエア構成は、図１に示した第１実施形態のものと同様である。また図５及び図６において、図３及び図４と同様のステップには、同様のステップ番号を付し、それらの説明は適宜省略する。
【００９９】
第２実施形態は、選択手段の一例を構成するエージェント２２１'が、上述した第１実施形態におけるエージェント２２１の機能に加えて、ステップＳ１７の監視モードにおける監視結果に従って、自車の走行が予定通りでない場合に、現在時刻以降に出力すべきコンテンツ情報に変更を加えるように構成されている。その他の構成については、上述した第１実施形態と同様である。
【０１００】
即ち、図５及び図６に示すように、第２実施形態では、先ずステップＳ１１からＳ１７の処理が第１実施形態の場合と同様に行なわれる。
【０１０１】
そして、ステップＳ１７で監視モードに移行した後に先ず、エージェント２２１'は、渋滞により予想所要時間を超過した旨の通知をナビゲーションシステム２２２から受信したか否かをチェックする（ステップＳ２１）。
【０１０２】
ここで、受信しなければ（ステップＳ２１：Ｎｏ）、予定通りに走行を終了する場合となるので、実際に自車が目的地に到着した際に、ナビゲーションシステム２２２からの到着報告をエージェント２２１'が受けて（ステップＳ１８）、一連の処理を終える。従って、ナビゲーションシステム２２２により算出された所要時間に相応しいコンテンツ情報が走行中、車内に出力され、目的地に到着する際には、このコンテンツ情報の出力は完結するか、或いは区切りのよいところでコンテンツ情報の出力は終了することになる。
【０１０３】
他方、渋滞による予想所要時間超過通知をナビゲーションシステム２２２から受信すると（ステップＳ２１：Ｙｅｓ）、現在時刻以降に出力すべきコンテンツ情報に変更を加える処理に移行する。より具体的には、エージェント２２１'は、現在の楽曲リスト或いは再生リストに入っていない楽曲のリストを楽曲データベース１００に要求する（ステップＳ２２）。これに対応して楽曲データベース１００から出力される楽曲リストをエージェント２２１'は受信し（ステップＳ２３）、更に、選択手段の一例として機能するエージェント２２１'は、超過した所要時間に従い追加挿入する楽曲リストを作成する（ステップＳ２４）。ここでは例えば、再生中の楽曲アルバムを基準にして、同一アーティストや同一ジャンルに係る楽曲をプレイリスト中に挿入したり最後尾に加えたりする。そして、出力制御手段の一例としても機能するエージェント２２１'は、追加挿入リストに基づき追加再生順序をカーオーディオ２２３に指示する（ステップＳ２５）。これを受けたカーオーディオシステム２２３は、楽曲データベース１００と共に或いはこれに対応付けられてハードディスクユニット３６内に格納された音声情報を楽曲リスト順に要求し（図６のステップＳ２５ａ）、この要求に応じて楽曲データベース１００から提供された音声情報をカーオーディオシステム２２３は順次再生する（図６のステップＳ２５ｂ）。その後、ステップＳ１７に戻って、監視モードにおける監視を継続する。
【０１０４】
従って、第２実施形態によれば、渋滞により予定通りに走行できない場合であっても、走行状況に相応しいコンテンツ情報が走行中、車内に出力され、目的地に到着する際には、このコンテンツ情報の出力は完結するか、或いは区切りのよいところでコンテンツ情報の出力は終了することになる。
【０１０５】
尚、第２実施形態では、ステップＳ２１において渋滞による所要時間超過通知をナビゲーションシステム２２２から受信した場合に、楽曲リストに楽曲を追加する処理を行なっているが、より一般には、監視モード（ステップＳ１７）において、ナビゲーションシステム２２２により算出された経路上の所定地点における予定通過時刻と内蔵クロック等で得られる現在時刻とを、エージェント２２１'により、当該地点を実際に通過する際に比較して、予定より一定時間以上遅れている場合に、ステップＳ２２の処理に移行するように構成してもよい。更に、このように比較して、予定より一定時間以上進んでいる場合に、例えば以前リストに採用されたが運転者が再生時にスキップして聴取しなかった曲などを楽曲リスト中から間引くなど、残りの走行中に出力すべきコンテンツ情報に変更を加えるように構成してもよい。或いは、エージェント２２１'は、ナビゲーションシステム２２２により算出された所定時刻における予定通過地点と現在位置とを、内蔵クロック等で得られる所定時刻に比較して、予定より遅れていないか又は進んでいないかを判定してもよい。
【０１０６】
加えて、第２実施形態では、予定通りに走行できない場合に、走行中に出力するコンテンツ情報自体に変更を加える処理を行なうようにしたが、これに代えて又は加えて、出力制御手段の一例として機能するエージェント２２１'が、現在時刻以降における出力方法に変更を加えるようにカーオーディオシステム２２３を制御するように構成してもよい。例えば、予定よりも早く到着しそうな場合には、再生中のコンテンツ情報を早送り或いは倍速再生したり、予定よりも目的地に遅く到着しそうな場合には、再生中のコンテンツ情報を静止或いはスロー再生してもよい。
【０１０７】
（第３実施形態）
次に、本発明の第３実施形態について、図７及び図８を参照して説明する。ここに、図７は、第３実施形態における動作を示すフローチャートであり、図８は、図７に示した第３実施形態における動作を、図４と同様にナビゲーションシステム、エージェント、楽曲データベース及びカーオーディオシステムの別に経時的に示す概念図である。尚、第３実施形態のハードウエア構成は、図１に示した第１実施形態のものと同様である。また図７及び図８において、図３及び図４と同様のステップには、同様のステップ番号を付し、それらの説明は適宜省略する。
【０１０８】
第３実施形態は、選択手段の一例を構成するエージェント２２１"が、上述した第１実施形態におけるエージェント２２１の機能に加えて、自車の走行中における、例えば運転手や同乗者が疲労している状況、運転手に眠気がきている状況などの所定種類の特殊状況を検出する状況検出手段の一例としても機能し、更にこのような特殊状況が検出された場合に、楽曲リストの自動選択の結果にかかわらず、特殊状況時に出力すべきものとして予め設定されているコンテンツ情報を優先的に出力するようにカーオーディオシステム２２３を制御する出力制御手段の一例としても機能するように構成されている。その他の構成については、上述した第１実施形態と同様である。
【０１０９】
即ち、図７及び図８に示すように、第３実施形態では、先ずステップＳ１１からＳ１７の処理が第１実施形態の場合と同様に行なわれる。
【０１１０】
そして、ステップＳ１７で監視モードに移行した後に先ず、エージェント２２１"は、走行開始から一定時間（例えば２時間）経過した旨の通知をナビゲーションシステム２２２から受信したか否かをチェックする（ステップＳ３１）。
【０１１１】
ここで、受信しなければ（ステップＳ３１：Ｎｏ）、比較的短時間で走行を終了する場合となるので、実際に自車が目的地に到着した際に、ナビゲーションシステム２２２からの到着報告をエージェント２２１"が受けて（ステップＳ１８）、一連の処理を終える。従って、ナビゲーションシステム２２２により算出された所要時間に相応しいコンテンツ情報が走行中、車内に出力され、目的地に到着する際には、このコンテンツ情報の出力は完結するか、或いは区切りのよいところでコンテンツ情報の出力は終了することになる。
【０１１２】
他方、エージェント２２１"は、走行開始から一定時間経過通知をナビゲーションシステム２２２から受信すると（ステップＳ３１：Ｙｅｓ）、長時間の連続走行を行なっている状況を検出したこととなり、この状況を運転手等が疲労している特殊状況であると擬制して、予め当該特殊状況用に設定された疲労を癒す楽曲を出力するようにコンテンツ情報に変更を加える処理に移行する。より具体的には、エージェント２２１"は、現在の楽曲リスト或いは再生リストに入っていない楽曲であって、予め当該特殊状況用に設定された特定の楽曲リストを楽曲データベース１００に要求する（ステップＳ３２）。ここでは、例えば運転手等が疲労している特殊状況に対しては、一般的な人体生理学の見地に従ったデフォールト値としての疲労を癒すような楽曲を予め設定しておく。或いは、運転手等の自らの判断により疲労を癒すような楽曲を入力装置６０を介して予め設定しておく。そして、例えばこの設定に従って、楽曲データベース１００における特殊状況用の楽曲には、「疲れたときに聴きたい曲」や「眠気を覚ます曲」などのタグを付けて置くようにする。
【０１１３】
例えばこのような特殊状況用の設定に対応するタグが付されており、楽曲リストの要求に対応して楽曲データベース１００から出力される楽曲リストを、エージェント２２１"は受信する（ステップＳ３３）。続いて、選択手段の一例として機能するエージェント２２１"は、この受信した楽曲リストを、追加挿入することで新たな楽曲リストを作成する（ステップＳ３４）。ここでは例えば、現在再生中の楽曲の次に特殊状況用の楽曲が再生されるように、リストを再編成する。そして、出力制御手段の一例としても機能するエージェント２２１"は、追加挿入リストに基づき追加再生順序をカーオーディオ２２３に指示する（ステップＳ３５）。これを受けたカーオーディオシステム２２３は、楽曲データベース１００と共に或いはこれに対応付けられてハードディスクユニット３６内に格納された音声情報を楽曲リスト順に要求し（図８のステップＳ３５ａ）、この要求に応じて楽曲データベース１００から提供された音声情報をカーオーディオシステム２２３は順次再生する（図８のステップＳ３５ｂ）。その後、ステップＳ１７に戻って、監視モードにおける監視を継続する。
【０１１４】
従って、第３実施形態によれば、特殊状況においては、所要時間に応じて選択された楽曲に代えて、当該特殊状況に相応しい楽曲が運転手等に対して出力されるので、運転手等にとって快適或いは相対的に安全性の高い車内環境が得られる。尚、このような特殊状況は、一つだけ設定してもよいが、複数設定可能である。また、カーオーディオシステム２２３からの出力を特殊状況用の楽曲に切り替えるタイミングとしては、現在出力中の楽曲の完了を待たずして、エージェント２２１"が特殊状況を検出した際に即時に切り替えるように構成してもよい。
【０１１５】
以上説明した第３実施形態では特殊状況の一例として、一定時間以上の連続走行を運転手等が疲労している状況と擬制して検出するようにしたが、自車が既に走行した経路上における渋滞の度合いに基づいて、特殊状況を検出するように構成してもよい。例えば、所定時間以上の渋滞を経て走行を続けている状況を、運転手等が疲労している或いは苛立っている特殊状況であると擬制して、検出してもよい。
【０１１６】
更に、ナビゲーションシステム２２２の測定データに基づいて、自車の走行軌跡が所定基準に対して異常である状況、例えば蛇行運転や急ハンドルなど、走行軌跡が異常である状況を、運転手に眠気がきている特殊状況であると擬制して検出してもよい。この場合には、当該特殊状況用の楽曲としては眠気を覚ます楽曲を予め設定しておくとよい。
【０１１７】
加えて、第３実施形態では、特殊状況が検出された場合に、走行中に出力するコンテンツ情報自体に変更を加える処理を行なうようにしたが、これに代えて又は加えて、出力制御手段の一例として機能するエージェント２２１"が、現在時刻以降における出力方法に変更を加えるようにカーオーディオシステム２２３を制御するように構成してもよい。例えば、運転手が疲労している状況では音量ボリュームを下げたり、運転手に眠気がきている状況では、音量ボリームを上げたりしてもよい。
【０１１８】
尚、第３実施形態では、予想所要時間に応じて自動作成された楽曲リストに対し、特殊状況の発生に、予め特殊状況用に設定された楽曲を優先的に再生する構成を採っているが、予想所要時間に応じた楽曲リストとは無関係に、任意の状況（例えば、楽曲リストを自動設定することなしに、ラジオを受信していたり、ＣＤを聞いている状況など）において、特殊状況を検出した際に、当該特殊状況用に予め設定されている楽曲を優先的に再生する構成としてもよい。このように構成しても、例えば、疲労していたり眠気がきている状況で、これに相応しい楽曲が出力されるので便利である。
【０１１９】
（変形形態）
以上説明した各実施形態では、説明の便宜上、コンテンツ情報が音声情報からなる例について説明しているが、コンテンツ情報が映像情報或いは音声情報と映像情報との組み合わせ、更にはテキスト情報（或いはテキスト化された映像情報）等であっても、コンテンツ情報が有限の時間単位に区切られている或いは有限の時間内に完結する限りにおいて、本発明を同様に適用可能である。
【０１２０】
例えば、本発明の車載用電子システムを、後部座席または助手席の同乗者用に映像情報を提供する場合に適用すると、予想所要時間に合わせた映像リストの作成が可能である。より具体的には、第１から第３実施形態と同様に、映画であれば、ＤＶＤリストやハードディスクに保存された映画であって、所要時間内に見ることができるものが自動的に選択される。この場合、予定よりも早く到着する場合には、倍速再生や間引き再生などを行うことで、到着時刻に合わせて終了するように構成してもよい。
【０１２１】
また、本発明の車載用電子システムを、ライブビデオに係る映像情報を提供する場合に適用すると、予想所要時間内に終了するライブビデオが自動的に選択される。尚、ビデオ自体はＤＶＤリストやハードディスクに保存してあるリストから選択される。逆に予想所要時間内で、かなりの時間を残してライブビデオが終了する場合、そのアーティストのアルバムに含まれていない楽曲をリストから抽出し、リストに挿入することも可能である。このとき表示する画像としては、静止画でもよいし、ＢＧＭとして楽曲に直接関連付けされない動画でもよい。
【０１２２】
更に、本発明の車載用電子システムを、本(電子ブック)、漫画などのテキスト情報を提供する場合に適用すると、所要時間内に読み終わることができる本等が自動的に選択される。
【０１２３】
上述の各実施形態では、車載用電子システム内でコンテンツ情報を選択する処理を実行しているが、車載用電子システム内の通信装置３８を活用し、インターネットなどのサーバと通信して、このような処理を実行することも可能である。その場合、上記の説明で車載用電子システム内に仮想的に構築されたエージェント（実際には、ＣＰＵ２２とそのプログラムにより実現される）をインターネットのサーバ上に構築し、コンテンツ情報の選択機能或いは楽曲リストの作成機能を有するサーバとすることができる。運転手等による目的地、更には好みのアーティストやジャンル、特殊状況時に出力すべき楽曲等に係る入力情報は、通信装置３８を通じて当該サーバへ送信され、サーバからは対応する楽曲リスト等が車載用電子システムに送信される。そして、車載用電子システムでは、この受信した楽曲リスト等に従ってコンテンツ情報の出力が行なわれる。加えて、目的地が入力された後の経路探索や経路案内等にかかるナビゲーション機能についても、通信装置３８を利用してサーバと通信しつつ実行することも可能である。
【０１２４】
本発明の移動体用電子システムは、上述の各実施形態の如く車載用ではなく、携帯情報端末や携帯電話等を利用した歩行者用のナビゲーション装置に適用することも可能である。その場合には、携帯情報端末や携帯電話等に音楽再生機能などのコンテンツ再生機能を有するものであればよい。例えば、歩行者のスピードなどから目的地に至る所要時間を演算し、その所要時間に基づいて、所望のコンテンツ情報を選択すればよい。
【０１２５】
本発明は、上述した実施形態に限られるものではなく、請求の範囲及び明細書全体から読み取れる発明の要旨或いは思想に反しない範囲で適宜変更可能であり、そのような変更を伴なう移動体用電子システムの制御装置及び制御方法、移動体用電子システム、並びにコンピュータプログラムもまた本発明の技術的範囲に含まれるものである。
【符号の説明】
【０１２６】
１０…自立測位装置
１１…加速度センサ
１２…角速度センサ
１３…速度センサ
１８…ＧＰＳ測位装置
１９…電波
２０…システムコントローラ
２１…インタフェース
２２…ＣＰＵ
２３…ＲＯＭ
２４…ＲＡＭ
３０…バス
３１…ＣＤ−ＲＯＭドライブ
３２…ＤＶＤ−ＲＯＭドライブ
３６…ハードディスクユニット
３７…通信用インタフェース
３８…通信装置
４０…表示ユニット
５０…音声出力ユニット
６０…入力装置
１００…楽曲データベース
２２１…エージェント
２２２…ナビゲーションシステム
２２１…カーオーディオシステム
【図１】
2010032533.tif 000003
【図２】
2010032533.tif 000004
【図３】
2010032533.tif 000005
【図４】
2010032533.tif 000006
【図５】
2010032533.tif 000007
【図６】
2010032533.tif 000008
【図７】
2010032533.tif 000009
【図８】
2010032533.tif 000010